(57)【要約】【課題】足場受口を備えたコンクリートポールの製造ラインを足場受口用取付け金具の一部の部品の破損によって長時間停止させることがないようにする。【解決手段】上記課題を解決するために本発明のコンクリートポール１の足場受口用取付け金具７は、足場受口５のネジ孔６に螺合して組み付けられる段付きボルト９と、型枠３の外周部の所定の位置に取り付けられ、内周凹部１１を有する金具本体１３と、前記金具外枠１３に取り外し可能に取り付けられる内部リング２１であって、前記内周凹部１１に内嵌する外周部１５と前記足場受口５が組み付けられた段付きボルト９と螺合する雌ネジ部１７を有する内部リング２１と、を具備している。【選択図】  図１
2013248846.tif 000002
【特許請求の範囲】
【請求項１】
型組みされた型枠（３）の外周部の所定の位置に足場受口（５）を配置する際に使用されるコンクリートポール（１）の足場受口用取付け金具（７）であって、
前記足場受口（５）のネジ孔（６）に螺合して組み付けられる段付きボルト（９）と、
前記型枠（３）の外周部の所定の位置に取り付けられ、内周凹部（１１）が形成されている金具外枠（１３）と、
前記金具外枠（１３）に取り外し可能に取り付けられる内部リング（２１）であって、前記金具外枠（１３）の内周凹部（１１）に内嵌する外周部（１５）と、前記足場受口（５）が組み付けられた段付きボルト（９）と螺合する雌ネジ部（１７）が刻設された内周部（１９）とを有する内部リング（２１）と、
を備えるコンクリートポールの足場受口用取付け金具。
【請求項２】
請求項１に記載のコンクリートポールの足場受口用取付け金具（７）において、
前記金具外枠（１３）の外周壁（２３）にネジ孔（２５）が形成されており、
該ネジ孔（２５）に螺合して、当該金具外枠（１３）に内嵌する前記内部リング（２１）の外周部（１５）に軸部（６５）の先端部を突き当てて内部リング（２１）を固定する固定ボルト（２７）を更に備えることを特徴とする、コンクリートポールの足場受口用取付け金具。
【請求項３】
請求項１又は２に記載のコンクリートポールの足場受口用取付け金具（７）において、
前記金具外枠（１３）は、前記型枠（３）の外周部に対して点付け溶接又は全周溶接されていることを特徴とする、コンクリートポールの足場受口用取付け金具。
【請求項４】
請求項１乃至３の何れかに記載のコンクリートポールの足場受口用取付け金具（７）において、
前記金具外枠（１３）の内周凹部（１１）と前記内部リング（２１）の外周部（１５）との間には、前記内周凹部（１１）内での内部リング（２１）の回転を防止する回り止め構造（２９）が設けられていることを特徴とする、コンクリートポールの足場受口用取付け金具。
【請求項５】
請求項４に記載のコンクリートポールの足場受口用取付け金具（７）において、
前記回り止め構造（２９）は、前記内部リング（２１）の外周部（１５）の一部を切除することによって形成される回転規制面（３１）と、
前記金具外枠（１３）の内周凹部（１１）において、前記回転規制面（３１）と対向するように設けられ、前記回転規制面（３１）に当接することによって前記内部リング（２１）の回転を規制する当接面（３３）と、を備えることによって構成されていることを特徴とする、コンクリートポールの足場受口用取付け金具。
【請求項６】
請求項１乃至５の何れかに記載のコンクリートポールの足場受口用取付け金具（７）において、
前記内部リング（２１）の外周部（１５）には、前記固定ボルト（２７）の軸部（６５）先端の進入を受け入れる切込み溝（３５）が形成されており、
前記切込み溝（３５）の前記型枠（３）側の内周面（３７）には、内部リング（２１）の内周側に行くに従って縮径するようにテーパ加工が施されていることを特徴とする、コンクリートポールの足場受口用取付け金具。
【請求項７】
コンクリート原料（Ｍ）を流し込む型枠（３）を組み立て、組み立てられた型枠（３）の外周部の所定の位置に足場受口（５）を配置する型組み工程を備えるコンクリートポールの製造方法であって、
前記型組み工程では、前記型枠（３）の外周部の所定の位置に取り付けられている金具外枠（１３）に対して内部リング（２１）を内嵌した状態で、当該内部リング（２１）を前記金具外枠（１３）に取り付けると共に、
前記金具外枠（１３）に取り付けられた内部リング（２１）に形成されている雌ネジ部（１７）に対して前記足場受口（５）が組み付けられた段付きボルト（９）を螺合することによって足場受口（５）を配置することを特徴とするコンクリートポールの製造方法。
【請求項８】
請求項７に記載のコンクリートポールの製造方法において、
前記型組み工程で行われる足場受口（５）の型枠（３）に対する取り付けにあたっては、請求項１乃至６の何れかに記載のコンクリートポールの足場受口用取付け金具（７）が使用されることを特徴とするコンクリートポールの製造方法。
【発明の詳細な説明】
【技術分野】
【０００１】
本発明は、電柱等、作業者が登ることを想定して製造されるコンクリートポールに対して、足場受口を取り付ける場合に使用される足場受口用取付け金具及び該足場受口用取付け金具を使用することによって実行されるコンクリートポールの製造方法に関する。
【背景技術】
【０００２】
電柱等、作業者が登ることを想定して製造されるコンクリートポールには、送電線や電話線の架設工事やこれらの保守点検等を行う管理運営上の必要から、下記の特許文献１に開示されているようにコンクリートポールの外周面にネジ孔が臨むように足場受口が埋め込まれた状態で取り付けられており、該足場受口を利用して作業者がコンクリートポールを登る際の足掛かりとなる足場ボルトを設置するように構成されている。
【０００３】
このような足場受口が埋め込まれたコンクリートポールを製造する場合には、先ず、コンクリート原料を流し込む前の型組み工程において、半円筒状の一対の型枠の間に、筒状に組まれた鉄筋籠を配置し、上記一対の型枠を組み合わせて円筒状に型組みすると共に、上記型枠の外側から足場受口を取り付ける。
次に、充填・成形工程において、型組みされた上記型枠内に所定量のコンクリート原料を充填し、型枠を回転させることによって発生する遠心力を利用して円筒形状のコンクリートポールを成形する遠心成形を実行する。  
更に、養生・硬化工程において、所定時間養生・乾燥させてコンクリート原料が硬化後、上記型枠を分解して型枠から取り出すことでコンクリートポールの原形が製造される。
【０００４】
また、型組み工程において、足場受口１０５を型枠１０３に取り付ける場合には、図１２（ａ）に示すような段付きボルト１０９を使用して、該段付きボルト１０９の小径雄ネジ部１５３を足場受口１０５のネジ孔１０６に螺合させて図１２（ｂ）に示すように事前に両者を組み付けておく。  
一方、型枠１０３の外周部には、上記段付きボルト１０９の大径雄ネジ部１５５と螺合する雌ネジ部１１７が内周部１１９に刻設されているカップリング１２１が図１２（ｃ）に示すように点付け溶接してある。
【０００５】
そして、上記図１２（ｂ）に示す組み上がった状態の足場受口１０５と段付きボルト１０９を図１２（ｄ）に示すように上記カップリング１２１に向けて挿入し、上記段付きボルト１０９の大径雄ネジ部１５５をカップリング１２１の雌ネジ部１１７に螺合させることによって足場受口１０５の型枠１０３に対する取り付けが完了する。  
尚、上記段付きボルト１０９の締め付けには段付きボルト１０９の頭部１４５と係合し、強力な締付け力を発揮し得るインパクトレンチが使用されており、上記養生・硬化工程を経てコンクリート原料が硬化した後に上記段付きボルト１０９を取り外す場合にも上記インパクトレンチが使用されている。
【先行技術文献】
【特許文献】
【０００６】
【特許文献１】特開２０１０−１１２９０５号公報
【発明の概要】
【発明が解決しようとする課題】
【０００７】
しかし、インパクトレンチを使用して上記段付きボルト１０９を締め付ける際に段付きボルト１０９の大径雄ネジ部１５５や該大径雄ネジ部１５５と螺合するカップリング１２１の雌ネジ部１１７が潰れることがある。  
そして、この場合、段付きボルト１０９の大径雄ネジ部１５５が潰れた場合には、段付きボルト１０９を交換すればコンクリートポールの製造ラインをほとんど停止させることなく、コンクリートポールの製造を継続することができるから、連続的なコンクリートポールの製造が可能である。一方、カップリング１２１の雌ネジ部１１７が潰れた場合には、リーマ等を使用して潰れた雌ネジ部１１７を切り直すか、型枠１０３に点付け溶接されたカップリング１２１を型枠１０３から取り外してその剥離面を整えた後、新しいカップリング１２１を再び位置合わせして点付け溶接しなければならず、コンクリートポールの製造ラインが一時的に停止してしまう。
【０００８】
そこで、本発明の目的は、段付きボルトの締付け時に発生したネジ部の破損に起因する足場受口用取付け金具の交換を容易にし、短時間で交換できるようにしたコンクリートポールの足場受口用取付け金具及び該足場受口用取付け金具を使用したコンクリートポールの製造方法を提供することにある。
【課題を解決するための手段】
【０００９】
上記課題を解決するために、本発明の一側面に係るコンクリートポールの足場受口用取付け金具（７）は、型組みされた型枠（３）の外周部の所定の位置に足場受口（５）を配置する際に使用されるコンクリートポール（１）の足場受口用取付け金具（７）であって、前記足場受口（５）のネジ孔（６）に螺合して組み付けられる段付きボルト（９）と、前記型枠（３）の外周部の所定の位置に取り付けられ、内周凹部（１１）が形成されている金具外枠（１３）と；前記金具外枠（１３）に取り外し可能に取り付けられる内部リング（２１）であって、前記金具外枠（１３）の内周凹部（１１）に内嵌する外周部（１５）と、前記足場受口（５）が組み付けられた段付きボルト（９）と螺合する雌ネジ部（１７）が刻設された内周部（１９）とを有する内部リング（２１）と、を具備していることを特徴とするものである。
また、本発明の一実施形態に係るコンクリートポールの足場受口用取付け金具（７）では、前記金具外枠（１３）の外周壁（２３）にネジ孔（２５）が形成されており、前記金具外枠（１３）の外周壁（２３）に形成されているネジ孔（２５）に螺合して、当該金具外枠（１３）に内嵌する前記内部リング（２１）の外周部（１５）に軸部（６５）の先端部を突き当てて内部リング（２１）を取り付ける固定ボルト（２７）を更に備える。
【００１０】
また、本発明の一実施形態に係るコンクリートポールの足場受口用取付け金具（７）では、前記金具外枠（１３）が前記型枠（３）の外周部に対して点付け溶接又は全周溶接されている。
【００１１】
また、本発明の一実施形態に係るコンクリートポールの足場受口用取付け金具（７）では、前記金具外枠（１３）の内周凹部（１１）と前記内部リング（２１）の外周部（１５）との間に、前記内周凹部（１１）内での内部リング（２１）の回転を防止する回り止め構造（２９）が設けられている。
【００１２】
また、前記回り止め構造（２９）は、前記内部リング（２１）の外周部（１５）の一部を切除することによって形成される回転規則面（３１）と、前記金具外枠（１３）の内周凹部（１１）において、前記回転規制面（３１）と対向するように設けられ、前記回転規制面（３１）に当接することによって前記内部リング（２１）の回転を規制する当接面（３）３）と、を備えることによって構成されることが好ましい。
【００１３】
また、本発明の一実施形態に係るコンクリートポールの足場受口用取付け金具（７）では、前記内部リング（２１）の外周部（１５）に、前記固定ボルト（２７）の軸部（６５）先端の進入を受け入れる切込み溝（３５）が形成されており、前記切込み溝（３５）の前記型枠（３）側の内周面（３７）に、内部リング（２１）の内周側に行くに従って縮径するようにテーパ加工が施されている。
【００１４】
また、本発明の一実施形態に係るコンクリートポールの製造方法は、コンクリート原料（Ｍ）を流し込む型枠（３）を組み立て、組み立てられた型枠（３）の外周部の所定の位置に足場受口（５）を配置する型組み工程を備えるコンクリートポールの製造方法であって、前記型組み工程では、前記型枠（３）の外周部の所定の位置に取り付けられている金具外枠（１３）に対して内部リング（２１）を内嵌した状態で、当該内部リング（２１）を前記金具外枠（１３）に取り付けると共に、前記金具外枠（１３）に取り付けられた内部リング（２１）に形成されている雌ネジ部（１７）に対して前記足場受口（５）が組み付けられた段付きボルト（９）を螺合することによって足場受口（５）を配置することを特徴とするものである。
【００１５】
また、前記型組み工程で行われる足場受口（５）の型枠（３）に対する取り付けにあたっては、前述した何れかの実施形態に係るコンクリートポールの足場受口用取付け金具（７）を使用することが好ましい。
【発明の効果】
【００１６】
本発明のコンクリートポールの足場受口用取付け金具によれば、従来、段付きボルトを取り付ける際の対象になっていたカップリングに相当する部材が、金具外枠と内部リングの二部材によって構成されている。そして、段付きボルトと螺合する雌ネジ部が交換の容易な内部リングに形成されている。従って、点付け溶接されていたカップリングを取り外したり、リーマ等によって潰れた雌ネジ部を切り直すといった面倒な作業が不要になるから、製造ラインの停止がなくなり作業効率が改善される。
【００１７】
また、前記金具外枠を前記型枠の外周部に対して点付け溶接した場合には、金具外枠を交換する場合の交換作業が容易になる。一方、前記金具外枠を前記型枠の外周部に対して全周溶接した場合には、金具外枠の型枠に対する固着強度が向上するから長期に亘って繰り返して使用することが可能になる。
【００１８】
また、前記金具外枠の内周凹部と前記内部リングの外周部との間に、前記内周凹部内での内部リングの回転を防止する回り止め構造を設けた場合には、遠心成形時等における金具外枠内での内部リングの水平方向のガタ付きや回転が防止される。  
そして、前記回り止め構造として内部リングの回転規制面と金具外枠の当接面とによる面接触を利用した構造を採用した場合には、比較的加工が簡単で、大きな回転荷重に耐えられる回り止め構造が提供できるようになる。
【００１９】
また、前記内部リングの外周部に、前記固定ボルトの軸部先端の進入を受け入れる切込み溝を形成し、該切込み溝の型枠側の内周面に内部リングの内周側に行くに従って縮径するテーパ加工を施した場合には、固定ボルトを締め込んで行くと、固定ボルトの軸部の先端が上記内部リングのテーパ状の内周面に摺接して当該内部リングを型枠側に押し付ける力が作用するようになる。  
従って、遠心成形時の振動等によって生じる内部リングの垂直方向のガタ付きが防止されて、内部リングが確実に固定されるようになる。
【００２０】
また、本発明のコンクリートポールの製造方法によれば、型組み工程において内部リングを金具外枠に取り付けるため、コンクリートポールの製造中に内部リングの雌ネジ部が潰れても、短時間で内部リングを交換することができるから、コンクリートポールの製造ラインの連続的な稼働が可能になる。  
更に前記型組み工程において、本発明のコンクリートポールの足場受口用取付け金具を使用すれば、内部リングの交換が一層、円滑になり、長期に亘って安定したコンクリートポールの製造が可能になる。
【図面の簡単な説明】
【００２１】
【図１】本発明の実施の形態を示す図で、足場受口用取付け金具の使用状態を示す分解斜視図である。
【図２】本発明の実施の形態を示す図で、足場受口用取付け金具の使用状態を示す横断面図である。
【図３】本発明の実施の形態を示す図で、段付きボルトを示す側面図（ａ）と正面図（ｂ）である。
【図４】本発明の実施の形態を示す図で、足場受口を示す背面図（ａ）と側部半断面図（ｂ）である。
【図５】本発明の実施の形態を示す図で、金具外枠を示す正面図（ａ）と側部半断面図（ｂ）である。
【図６】本発明の実施の形態を示す図で、内部リングを示す正面図（ａ）と側部半断面図（ｂ）である。
【図７】本発明の実施の形態を示す図で、固定ボルトを示す正面図（ａ）と側面図（ｂ）である。
【図８】本発明の実施の形態を示す図で、コンクリートポールの製造の流れを（ａ）（ｂ）（ｃ）の３段階に分けて示す説明図である。
【図９】本発明の実施の形態を示す図で、型組み工程での作業の流れを（ａ）（ｂ）（ｃ）の３段階に分けて示す説明図である。
【図１０】本発明の実施の形態を示す図で、コンクリートポールの設置状態を示す側面図とその一部の拡大断面図である。
【図１１】本発明の他の実施の形態を示す図で、足場受口用取付け金具の種々の態様（ａ）（ｂ）（ｃ）（ｄ）を示す説明図である。
【図１２】従来の実施の形態を示す図で、足場受口の取り付けの流れを（ａ）（ｂ）（ｃ）（ｄ）の４段階に分けて示す説明図である。
【発明を実施するための形態】
【００２２】
以下、本発明に係るコンクリートポールの足場受口用取付け金具及び該足場受口用取付け金具を使用したコンクリートポールの製造方法を図示の実施の形態を例にとって具体的に説明する。
最初に、図１乃至図７及び図１０に基づいて本実施の形態に係るコンクリートポールの足場受口用取付け金具７について説明する。
【００２３】
この足場受口用取付け金具７は、電柱等、作業者が登ることを想定して製造されるコンクリートポール１に対して足場受口５を取り付ける場合に使用される。  
尚、コンクリートポール１に対して埋め込まれた状態で取り付けられる足場受口５は、図１０に示すように足場受口５のネジ孔６に足場ボルト４の軸部の先端部を螺合させ、ワッシャー４１とロックナット４３とを利用して当該足場ボルト４の軸部の先端部側を基部としてコンクリートポール１に固定するのに使用される。
【００２４】
具体的には、この足場受口用取付け金具７は、型組みされた型枠３の外周部の所定の位置に足場受口５を配置する際に使用され、段付きボルト９と、金具外枠１３と、内部リング２１と、を備えることによって基本的に構成されている。  
段付きボルト９は、足場受口５のネジ孔６内へのコンクリート原料Ｍの進入を防止した状態で足場受口５を保持する役割を有している。
【００２５】
具体的には、図３に示すように六角ボルト様の頭部４５とフランジ部４７とを有し、先端側に小径軸部４９、基端側に大径軸部５１を備えており、上記小径軸部４９に小径雄ネジ部５３、上記大径軸部５１に大径雄ネジ部５５を各別に配設することによって段付きボルト９は構成されている。
因みに、本実施の形態では、一例として黄銅製の段付きボルト９を採用し、小径雄ネジ部５３としてネジの呼び径がＷ５／８のウィット並目ネジを採用し、大径雄ネジ部５５としてネジの呼び径がＰＴ１の管用テーパネジを採用している。
【００２６】
また、足場受口５は、図４に示すように軸部中心にネジ孔６が刻設され、底部が閉塞された胴部５９と、該胴部５９の開放された端面側に設けられるフランジ部６０とを備える一例として八角形断面の筒状の部材である。  
そして、上記胴部５９の外周には、コンクリートポール１中に埋め込まれた時の固着力を増強させるための凹凸リブ６１等が適宜の間隔を空けて配設されている。また、上記ネジ孔６には、前記段付きボルト９の小径雄ネジ部５３と螺合するネジの呼び径がＷ５／８のウィット並目ネジが一例として採用されており、足場受口５の材料としては一例としてフェノール系の合成樹脂が採用されている。
【００２７】
金具外枠１３は、型枠３の外周部の所定の位置に点付け溶接又は全周溶接によって取り付けられている金属製の部材で、次に述べる内部リング２１を介して前記足場受口５を位置決めする作用を有している。  
具体的には、図５に示すように円環状の外周壁２３の内部に次に述べる内部リング２１を収容する内周凹部１１を備えることによって金具外枠１３は構成されている。
【００２８】
また、金具外枠１３の外周壁２３には、半径方向の一例として対向する２ヶ所にネジ孔２５が刻設されている。このネジ孔２５は後述する固定ボルト２７の軸部６５と螺合するようになっており、一例としてネジの呼び径がＭ８のメートル並目ネジが採用されている。  
また、金具外枠１３の内周凹部１１の底部６７の中心には、前記段付きボルト９の大径軸部５１の外径より幾分大きな穴部６９が形成されている。
【００２９】
また、上記内周凹部１１の底部６７は、次に述べる内部リング２１を内周凹部１１にセットした時の内部リング２１の垂直方向Ｖの位置決め作用と内部リング２１の傾きを防止する姿勢の安定性を保つ役割を有している。  
この他、上記内周凹部１１の内周面の一部は、中心に向って幾分張り出した平担面になっており、この平担面が内周凹部１１内での次に述べる内部リング２１の回転を防止する回り止め構造２９の構成要素になっている当接面３３として機能している。  
尚、本実施の形態では、上記ネジ孔２５の形成方向と直交する方向に対向するように２つの当接面３３、３３を配設している。
【００３０】
内部リング２１は、前記段付きボルト９の大径雄ネジ部５５に螺合することで当該段付きボルト９を介して足場受口５を保持する役割を有している一例として金属製の部材である。  
具体的には、図６に示すように前記金具外枠１３の内周凹部１１に内嵌する外周部１５と、前記足場受口５が組み付けられた段付きボルト９の大径雄ネジ部５５と螺合する雌ネジ部１７が刻設された内周部１９とを備えることによって内部リング２１は基本的に構成されている。
【００３１】
内部リング２１の形状と大きさは、前記金具外枠１３の内周凹部１１に対して僅かな隙間を介して内嵌する形状と大きさに形成されている。  
これに伴ない、内部リング２１の外周部１５には、前記金具外枠１３の内周凹部１１に形成されていた当接面３３、３３と対向する位置に同じく平担面によって構成されている回転規制面３１、３１が上記外周部１５の一部を切除することによって形成されている。
【００３２】
この回転規制面３１、３１は、前記当接面３３、３３と共に回り止め構造２９の構成要素になっており、当該回転規制面３１、３１が前記当接面３３、３３に当接することによって当該内部リング２１の回転を防止するように構成されている。  
また、上記回転規制面３１、３１が形成されていない残りの内部リング２１の外周部１５には、次に述べる固定ボルト２７の軸部６５先端の進入を受け入れる切込み溝３５が形成されている。
【００３３】
そして、上記切込み溝３５の前記型枠３側の内周面３７には、内部リング２１の内周側に行くに従って縮径するようにテーパ加工が施されており、次に述べる固定ボルト２７を締め込んで行くと、当該固定ボルト２７の軸部６５の先端が上記内周面３７に摺接するように当該内周面３７の位置が設定されている。  
また、内部リング２１の内周部１９に刻設されている雌ネジ部１７は、前記段付きボルト９の大径雄ネジ部５５と螺合する一例としてネジの呼び径がＰＦ１の管用平行ネジによって構成されている。
【００３４】
固定ボルト２７は、前記内部リング２１を前記金具外枠１３に取り付ける取付手段として使用されており、図７に示すように一例としてネジの呼び径がＭ８のメートル並目ネジで刻設された軸部６５と、六角形断面の頭部６３とを有する六角ボルトによって構成されている。  
そして、上記固定ボルト２７は、前記金具外枠１３の外周壁２３に形成されているネジ孔２５に螺合して、当該金具外枠１３に内嵌する前記内部リング２１の外周部１５に形成されている切込み溝３５の内周面３７に前述したように軸部６５の先端部を突き当てて内部リング２１を固定する。  
また、固定ボルト２７は前述したネジ孔２５に対応して２本使用されており、これら２本の固定ボルト２７、２７は対向する直線上を進んで前記金具外枠１３の中心に配置されている内部リング２１を挟持した状態で保持することによって固定できるように構成されている。
【００３５】
次に、このようにして構成されるコンクリートポールの足場受口用取付け金具７を使用することによって実行される本実施の形態に係るコンクリートポールの製造方法について説明する。  
このコンクリートポールの製造方法は、コンクリート原料Ｍを流し込む型枠３を組み立て、組み立てられた型枠３の外周部の所定の位置に足場受口５を配置する（１）型組み工程と、型組みされた型枠３内にコンクリート原料Ｍを充填し、所定の形状のコンクリートポール１に成形する（２）充填・成形工程と、型組みされた型枠３内でコンクリート原料Ｍを養生・硬化する（３）養生・硬化工程とを備えることによって一例として構成されている。
【００３６】
以下、図８及び図９に基づいてこれらの工程の内容を具体的に説明する。  
（１）型組み工程（図８（ａ）及び図９参照）
型組み工程は、本発明のコンクリートポールの製造方法の特徴的構成になっている工程である。  
先ず、図８（ａ）に示すように半円筒状の一対の型枠３、３の間に筒状に組まれた鉄筋籠８を配置し、上記一対の型枠３、３を組み合わせて円筒状に型組みし、２つの型枠３、３をボルト１０Ａとナット１０Ｂ等を使用して固定する。次に、図９（ａ）に示すように、前記型枠３の外周部の所定の位置に取り付けられている金具外枠１３の内周凹部１１に対して内部リング２１を内嵌し、固定ボルト２７を使用して当該内部リング２１を前記金具外枠１３に固定する。
【００３７】
この時、上記固定ボルト２７の軸部６５を金具外枠１３のネジ孔２５に螺合させて締め付けて行くと、上記固定ボルト２７の軸部６５の先端部が前述したように内部リング２１の切込み溝３５の内周面３７に摺接し、内部リング２１を型枠３側に押し付ける押付け力Ｆが図９（ｂ）に示すように発生する。  
そして、内部リング２１は、上記押付け力Ｆによって垂直方向Ｖのガタ付きが防止されると同時に型枠３側に強く押し付けられて確実に固定されるようになる。
【００３８】
また、足場受口５のネジ孔６に段付きボルト９の小径雄ネジ部５３を螺合させて段付きボルト９に足場受口５を予め組み付けておく。そして、当該足場受口５が組み付けられた段付きボルト９を図９（ｃ）に示すように内部リング２１に取り付ける。  
即ち、前記金具外枠１３の内周凹部１１に固定された内部リング２１の内周部１９に形成されている雌ネジ部１７に対して、上記足場受口５が組み付けられた段付きボルト９の大径雄ネジ部５５を螺合させることによって段付きボルト９を内部リング２１に取り付け、足場受口５を所定の位置に配置するようにする。
【００３９】
尚、上記段付きボルト９の取り付けは、段付きボルト９の頭部４５に係合するボックスレンチを装着したインパクトレンチ等を使用することによって実行されるが、段付きボルト９の締め付けの途中で段付きボルト９の大径雄ネジ部５５にネジの潰れが生じた場合には、インパクトレンチを逆転させて段付きボルト９の締め付けを緩めることで容易に段付きボルト９を取り外して新しい段付きボルト９に交換することが可能になっている。
【００４０】
また、段付きボルト９の締め付けの途中で内部リング２１の内周部１９に形成されている雌ネジ部１７にネジの潰れが生じた場合には、インパクトレンチを逆転させることで段付きボルト９を内部リング２１から取り外し、固定ボルト２７を緩めることで内部リング２１を金具外枠１３から取り外して新しい内部リング２１に交換することが可能になっている。  
従って、溶接によって固着されている金具外枠１３を型枠３から取り外したり、内部リング２１の雌ネジ部１７を切り直したりする時間のかかる面倒な作業を行うことなく、円滑な内部リング２１の交換が可能になる。
【００４１】
（２）充填・成形工程（図８（ｂ）参照）
充填・成形工程では、型組みされた上記型枠３内の端部からホースを入れ、所定量のコンクリート原料Ｍを充填し、型枠３を回転させることによって発生する遠心力を利用して中空の円筒形状のコンクリートポール１を成形する遠心成形を実行する。ここでは、型組みされた型枠３内にコンクリート原料Ｍを充填する場合を説明したが、型組み前の半割の状態の型枠３の一方に所定量のコンクリート原料Ｍを盛り込み、その後、型枠３を型組みしても良い。  
尚、遠心成形時のモーターの回転数は最大で約１６００ｒｐｍと高速であるが、本実施の形態では、前述した回り止め構造２９によって、内部リング２１の水平方向Ｈのガタ付きと回転が防止され、前述した固定ボルト２７と内部リング２１の外周部１５に形成されている切込み溝３５の内周面３７との摺接によって内部リング２１の垂直方向Ｖのガタ付きも防止されている。
【００４２】
（３）養生・硬化工程（図８（ｃ）参照）
養生・硬化工程では、型組みした型枠３内に充填されたコンクリート原料Ｍを所定時間養生・乾燥させて硬化させる。そして、上記コンクリート原料Ｍの硬化後、インパクトレンチ等を利用して段付きボルト９を緩めて金具外枠１３から取り外す。  
次に、ボルト１０Ａ及びナット１０Ｂを緩めて型組みされた型枠３を２つに分解し、型枠３内から所定の形状に成形されて硬化したコンクリートポール１を取り出す。
【００４３】
以上が本発明の基本的な実施の形態であるが、本発明のコンクリートポールの足場受口用取付け金具７及び該足場受口用取付け金具７を使用したコンクリートポールの製造方法は、上述した実施の形態に限定されるものではなく、本発明の要旨を逸脱しない範囲内の部分的構成の変更や省略、あるいは当業者において周知、慣用の技術を追加することが可能である。  
例えば、回り止め構造２９としては、前述した実施の形態のように回転規制面３１と当接面３３をそれぞれ対向するように２組設ける構成の他、図１１（ａ）に示す回り止め構造２９Ａのように回転規制面３１と当接面３３を１組のみ設ける構成であってもよい。
【００４４】
また、金具外枠１３の内周凹部１１と内部リング２１の外周部１５の平面形状を図１１（ｂ）に示すようなコーナ部が面取りされた四角形状や四角形以外の多角形状等にすることによって上記金具外枠１３の内周凹部１１のすべてを当接面３３にし、上記内部リング２１の外周部１５のすべてを回転規制面３１とした回り止め構造２９Ｂを採用することも可能である。  
また、前記切込み溝３５の形状も前記実施の形態で述べた形状に限らず、三角形断面形状や半円形断面形状等、他の形状の切込み溝３５であっても構わないし、前記実施の形態の切込み溝３５の外周部を切除した図１１（ｃ）に示すような外周部１５の形状を有する内部リング２１Ａを採用することも可能である。
【００４５】
また、前記実施の形態において、金具外枠１３の内周凹部１１に設けた底部６７を省略して、図１１（ｄ）に示すように直接、内部リング２１を型枠３の外周面に当接させてセットする構造の金具外枠１３Ａを採用することも可能である。  
この他、固定ボルト２７の数や締付け方向も前述した実施の形態に限らず、固定ボルト２７を１本のみにしたり、３本以上の固定ボルト２７を放射状に配設する等、種々の態様を採ることが可能である。
なお、前記実施の形態では、内部リング２１を金具外枠１３に固定ボルト２７によって取り付けたが、金具外枠１３の内周及び内部リング２１の外周にねじを形成して、内部リング２１を金具外枠１３に螺合して取り付けるようにしても良い。
【００４６】
本発明は、足場受口を備えたコンクリートポールの製造分野等で利用でき、特に足場受口を備えたコンクリートポールの製造ラインを足場受口用取付け金具の一部の部品の破損によって長時間停止させることなく効率良く当該コンクリートポールを製造したい場合に利用可能性を有する。
【符号の説明】
【００４７】
１  コンクリートポール
３  型枠
４  足場ボルト
５  足場受口
６  ネジ孔
７  足場受口用取付け金具
８  鉄筋籠
９  段付きボルト
１０Ａ  ボルト
１０Ｂ  ナット
１１  内周凹部
１３  金具外枠
１５  外周部
１７  雌ネジ部
１９  内周部
２１  内部リング
２３  外周壁
２５  ネジ孔
２７  固定ボルト
２９  回り止め構造
３１  回転規制面
３３  当接面
３５  切込み溝
３７  内周面
４１  ワッシャー
４３  ロックナット
４５  頭部
４７  フランジ部
４９  小径軸部
５１  大径軸部
５３  小径雄ネジ部
５５  大径雄ネジ部
５９  胴部
６０  フランジ部
６１  凹凸リブ
６３  頭部
６５  軸部
６７  底部
６９  穴部
Ｍ  コンクリート原料
Ｖ  垂直方向
Ｈ  水平方向
Ｆ  押付け力
【図１】
2013248846.tif 000003
【図２】
2013248846.tif 000004
【図３】
2013248846.tif 000005
【図４】
2013248846.tif 000006
【図５】
2013248846.tif 000007
【図６】
2013248846.tif 000008
【図７】
2013248846.tif 000009
【図８】
2013248846.tif 000010
【図９】
2013248846.tif 000011
【図１０】
2013248846.tif 000012
【図１１】
2013248846.tif 000013
【図１２】
2013248846.tif 000014